(57)【要約】【課題】フロントパネルを容易に組み付けることができるコンロを提供する。【解決手段】筐体２の前面部には、フロントパネル６０が装着される。フロントパネル６０は、パネル本体部６１、右エンドピース７１、左エンドピース８１を備える。右エンドピース７１の左端部は、パネル本体部６１の右側部と対向する。右エンドピース７１の後端部は、右板部２１の前端部に設けた固定片と対向する。右エンドピース７１の左端部に設けた固定片は左方に突出し、パネル本体部６１の右側部に設けた固定孔に遊びを有する状態で係合する。右エンドピース７１の後端部に設けた係合片は、右板部２１の固定片側に突出し、固定片に設けられた被係合孔に係合される。それ故、パネル本体部６１と右エンドピース７１との間に多少の寸法誤差、組み付け誤差が生じても、それを吸収できるので、フロントパネル６０を筐体２に容易に装着できる。【選択図】図３
2019211187.tif 000002
【特許請求の範囲】
【請求項１】
後板部と、前記後板部の左右両端側から前側に延びる一対の側板部と、前記一対の側板部の夫々の下端部のうち少なくとも前端側同士を繋げる底板部とを備える筐体と、前記筐体の前側に装着されるフロントパネルとを備えたコンロにおいて、
前記一対の側板部のうち少なくとも一方の前端部には、前後方向に開口する被係合孔が設けられ、
前記フロントパネルは、
パネル本体部と、
前記パネル本体部の左右の外側部、若しくは片方の外側部と連結するエンドピースと
を備え、
前記エンドピースは、
前記パネル本体部の前記外側部と対向する第一対向部と、
前記側板部の前記前端部と対向する第二対向部と、
前記第一対向部から前記外側部側に向けて突出し、前記外側部に設けられた固定孔に遊びを有する状態で固定される固定部と、
前記第二対向部から前記側板部の前記前端部側に向けて突出し、前記被係合孔に係合される係合部と
を備えたことを特徴とするコンロ。
【請求項２】
前記固定部は、前記外側部の上下方向中央部よりも上部又は下部に寄った位置に設けられること
を特徴とする請求項１に記載のコンロ。
【請求項３】
前記固定部は、
前記第一対向部から前記外側部側に向けて延びる延設部と、
前記延設部の先端部から前側に延び、前記外側部の内側で前記固定孔の縁部に当接して抜け止めされた状態で固定する抜け止め部と
を備え、
前記延設部の延設方向の長さは、前記外側部の厚みよりも長いこと
を特徴とする請求項１又は２に記載のコンロ。
【請求項４】
前記フロントパネルが装着された前記筐体の上部に固定された天板を備え、
前記天板は、
前端部のうち少なくとも左右の両角部から下方に垂下する垂下部を備え、
前記垂下部は、前記エンドピースの上端部を覆うように配置されること
を特徴とする請求項１から３の何れかに記載のコンロ。
【請求項５】
前記コンロは、前記筐体の内側にグリル庫が設置されるコンロであって、
前記パネル本体部は、
前記グリル庫の前側に設けられたグリル開口を開閉するグリル扉を配置する為の開口部を備えたこと
を特徴とする請求項１から４の何れかに記載のコンロ。
【発明の詳細な説明】
【技術分野】
【０００１】
本発明は、コンロに関する。
【背景技術】
【０００２】
従来、テーブルコンロの筐体は、後板部と、後板部の左右両端側から前側に延びる一対の側板部と、一対の側板部の夫々の下端部のうち少なくとも前端側同士を繋げる底板部とを備える。筐体の前側には、フロントパネルが装着される。フロントパネルの所要位置には、後方に向けて突出する係合部が設けられる。一対の側板部の前端部には、前後方向に開口する被係合孔が設けられる。フロントパネルの係合部を、被係合孔に差し入れて係合させることで、フロントパネルが筐体の前面に装着される。このような構造を有するコンロにおいて、例えば、全ての係合部を効率的に被係合孔に差し入れる為に、一旦、フロントパネルの下側を底部に引っ掛け、そこを中心として、筺体の前面を閉じるようにフロントパネルを回転させることによって、全ての係合部を被係合孔に係合させるコンロが知られている（例えば、特許文献１参照）。
【先行技術文献】
【特許文献】
【０００３】
【特許文献１】特開２０１５−１６６６５０号公報
【発明の概要】
【発明が解決しようとする課題】
【０００４】
しかしながら、特許文献１に記載のコンロにおいて、フロントパネルと筐体との間に僅かな寸法誤差が生じた場合であっても、係合部が被係合孔に嵌り難くなることから、フロントパネルの組み付けが困難となる場合があった。それ故、フロントパネルに高い精度が要求されることから、歩留まりの面でも問題があった。
【０００５】
本発明の目的は、フロントパネルを容易に組み付けることができるコンロを提供することである。
【課題を解決するための手段】
【０００６】
請求項１のコンロは、後板部と、前記後板部の左右両端側から前側に延びる一対の側板部と、前記一対の側板部の夫々の下端部のうち少なくとも前端側同士を繋げる底板部とを備える筐体と、前記筐体の前側に装着されるフロントパネルとを備えたコンロにおいて、前記一対の側板部のうち少なくとも一方の前端部には、前後方向に開口する被係合孔が設けられ、前記フロントパネルは、パネル本体部と、前記パネル本体部の左右の外側部、若しくは片方の外側部と連結するエンドピースとを備え、前記エンドピースは、前記パネル本体部の前記外側部と対向する第一対向部と、前記側板部の前記前端部と対向する第二対向部と、前記第一対向部から前記外側部側に向けて突出し、前記外側部に設けられた固定孔に遊びを有する状態で固定される固定部と、前記第二対向部から前記側板部の前記前端部側に向けて突出し、前記被係合孔に係合される係合部とを備えたことを特徴とする。
【０００７】
請求項２のコンロは、請求項１に記載の発明の構成に加え、前記固定部は、前記外側部の上下方向中央部よりも上部又は下部に寄った位置に設けられるとよい。
【０００８】
請求項３のコンロは、請求項１又は２に記載の発明の構成に加え、前記固定部は、前記第一対向部から前記外側部側に向けて延びる延設部と、前記延設部の先端部から前側に延び、前記外側部の内側で前記固定孔の縁部に当接して抜け止めされた状態で固定する抜け止め部とを備え、前記延設部の延設方向の長さは、前記外側部の厚みよりも長いのがよい。
【０００９】
請求項４のコンロは、請求項１から３の何れかに記載の発明の構成に加え、前記フロントパネルが装着された前記筐体の上部に固定された天板を備え、前記天板は、前端部のうち少なくとも左右の両角部から下方に垂下する垂下部を備え、前記垂下部は、前記エンドピースの上端部を覆うように配置されるのがよい。
【００１０】
請求項５のコンロは、請求項１から４の何れかに記載の発明の構成に加え、前記コンロは、前記筐体の内側にグリル庫が設置されるコンロであって、前記パネル本体部は、前記グリル庫の前側に設けられたグリル開口を開閉するグリル扉を配置する為の開口部を備えるとよい。
【発明の効果】
【００１１】
請求項１のコンロによれば、エンドピース側の固定部を、パネル本体部の固定孔に対して遊びを有する状態で固定するので、パネル本体部とエンドピースとの間に多少の寸法誤差、組み付け誤差が生じたとしても、それを吸収できる。これにより、フロントパネルを筐体に装着する際に、エンドピースの自由度がある程度確保されるので、仮に寸法誤差が生じたとしても、エンドピースを容易に筐体側に組み付けることができる。よって、フロントパネルの歩留まりの面でも有利である。
【００１２】
請求項２のコンロによれば、請求項１に記載の発明の効果に加え、固定部は、外側部の上下方向中央部よりも上部又は下部に寄った位置に設けられる。これにより、上下方向中央部に設けた場合に比べ、パネル本体部に対して、エンドピースの位置に遊びを形成し易い。これにより、コンロは、パネル本体部とエンドピースとの間に生じた組み付け誤差を、エンドピースの遊びで十分に吸収できる。
【００１３】
請求項３のコンロによれば、請求項１又は２に記載の発明の効果に加え、延設部の延設方向の長さは、外側部の厚みよりも長いので、固定孔に対して固定部に遊びを容易に設けることができる。
【００１４】
請求項４のコンロによれば、請求項１から３の何れかに記載の発明の効果に加え、エンドピースの上端部は、天板の垂下部により保持された状態にできるので、エンドピースが筐体から脱落するのを防止できる。
【００１５】
請求項５のコンロによれば、請求項１から４の何れかに記載の発明の効果に加え、グリル庫が無いコンロだけでなく、グリル庫を有するコンロにも適用できる。
【図面の簡単な説明】
【００１６】
【図１】コンロ１の斜視図である。
【図２】コンロ１の正面図である。
【図３】天板を取り外したコンロ１の斜視図である。
【図４】筐体２の内側を左斜め後方から見下ろした斜視図である。
【図５】図４のＷ１領域内の部分拡大図である。
【図６】天板と右エンドピースを取り外したコンロ１の斜視図である。
【図７】図６のＷ２領域内の部分拡大図である。
【図８】筐体２の斜視図である。
【図９】パネル本体部６１の斜視図である。
【図１０】パネル本体部６１の正面図である。
【図１１】パネル本体部６１の平面図である。
【図１２】パネル本体部６１の背面図である。
【図１３】パネル本体部６１の右側面図である。
【図１４】パネル本体部６１の底面図である。
【図１５】右エンドピース７１の斜視図である。
【図１６】右エンドピース７１の正面図である。
【図１７】右エンドピース７１の平面図である。
【図１８】右エンドピース７１の右側面図である。
【図１９】右エンドピース７１の左側面図である。
【図２０】右エンドピース７１の背面図である。
【図２１】右エンドピース７１の底面図である。
【図２２】筐体２の前面下部に対し、傾斜したパネル本体部６１の下端部を引っ掛けた状態を右方から見た図である。
【図２３】図２２の状態から下端部を中心にパネル本体部６１を回動させ、筐体２の前面側に取り付ける状態を右方から見た図である。
【図２４】グリル付のコンロ１００の斜視図である。
【発明を実施するための形態】
【００１７】
以下、本発明の実施形態を説明する。以下に記載されている装置の構造などは、特定的な記載がない限り、それのみに限定する趣旨ではなく、単なる説明例である。図面は、本発明が採用しうる技術的特徴を説明するために用いられるものである。以下説明は、図中に矢印で示す左右、前後、上下を使用する。
【００１８】
図１〜図８を参照し、コンロ１の外観構造を説明する。図１，図２に示すように、コンロ１は、グリル無しの二口のテーブルコンロである。コンロ１は、筐体２と天板３を備える。筐体２は、上部が開口する略直方体状に形成される（図３参照）。天板３は、筐体２の開口する上部に螺子止め固定される。天板３の右側と左側には、円形状の一対のバーナ開口部（図示略）が設けられる。天板３上において、それらバーナ開口部の夫々の内側を上下方向に挿通するように、筐体２内に設けられた右コンロ４と左コンロ６（図３参照）が設置される。天板３の外周部には、下方に垂下する垂下部３１が設けられる。
【００１９】
図３，図４，図８に示すように、筐体２は、筐体本体部２０、底板部２４、上板部２５を備える。筐体本体部２０は、前側が開口する平面視略Ｕ字形状に形成される。筐体本体部２０は板金部材で形成され、右板部２１、左板部２２、後板部２３を備える。右板部２１及び左板部２２は、側面視前後方向に長い略矩形状に形成される。後板部２３は、背面視左右方向に長い略矩形状に形成され、右板部２１及び左板部２２の夫々の後端部同士を繋いでいる。底板部２４は板金部材であって、右板部２１の前端部の下部と、左板部２２の前端部の下部との間に渡設される。
【００２０】
上板部２５は板金部材であって、左右方向に略直線状に延び、右板部２１の前端部の上部と、左板部２２の前端部の上部との間に渡設される。上板部２５と、底板部２４の前端部との間には、二本の縦梁部２７，２８（図８参照）が立設される。縦梁部２７は、筐体２の左右方向において右コンロ４の左側に相対する位置に配置される。縦梁部２８は、筐体２の左右方向において左コンロ５の右側に相対する位置に配置される。縦梁部２７，２８は、上板部２５の左右両側を除く中央部分を支持する。それ故、上板部２５は、中央部分が下方に撓むのを防止できる。
【００２１】
図１〜図３に示すように、筐体２の開口する前側には、フロントパネル６０が装着される。フロントパネル６０は、パネル本体部６１、右エンドピース７１、左エンドピース８１の三つの部品で構成される。パネル本体部６１は板金部材で形成され、筐体本体部２０の前面部の左右両側を除く中央部に装着される。右エンドピース７１及び左エンドピース８１は樹脂で形成される。右エンドピース７１は、筐体２の右前角部に装着され、パネル本体部６１の右側に配置される。左エンドピース８１は、筐体２の左前角部に装着され、パネル本体部６１の左側に配置される。なお、本実施形態において、後述するように、パネル本体部６１の右端部及び左端部に対して、右エンドピース７１及び左エンドピース８１は、遊びを設けた状態で夫々固定される。
【００２２】
パネル本体部６１の前面部において、右側下部には、操作ボタン１１が設けられ、左側下部には、操作ボタン１２が設けられる。操作ボタン１１を押し込むと、右コンロ４が点火され、再度押し込むと消火される。操作ボタン１２を押し込むと、左コンロ５が点火され、再度押し込むと消火される。操作ボタン１２の左隣には、電池ボックス１５が手前に引き出し可能に設けられる。電池ボックス１５は、コンロ１に電源を供給する乾電池（図示略）を格納する。電池ボックス１５の直上には、乾電池の電圧低下を報知する為のＬＥＤ１７が設けられる。操作ボタン１１の上方には、切替スイッチ１６が設けられる。切替スイッチ１６は、右コンロ４及び左コンロ５が自動消火するまでの時間設定の変更に用いられる。
【００２３】
操作ボタン１１の上方には、火力調節レバー１１Ａが設けられる。操作ボタン１２の上方には、火力調節レバー１２Ａが設けられる。火力調節レバー１１Ａは、パネル本体部６１の後方に設けられた後述する点滅装置１８（図８参照）のブラケットに軸支される。火力調節レバー１１Ａは、ブラケットを中心とする左右方向の回動操作により、点滅装置１８を操作し、右コンロ４の火力調節を行う。火力調節レバー１２Ａは、パネル本体部６１の後方に設けられた後述する点滅装置１９（図８参照）のブラケットに軸支される。火力調節レバー１２Ａは、ブラケットを中心とする左右方向の回動操作により、点滅装置１９を操作し、左コンロ５の火力調節を行う。
【００２４】
操作ボタン１１の直下には、ロック操作部１１Ｂが設けられる。操作ボタン１２の直下には、ロック操作部１２Ｂが設けられる。ロック操作部１１Ｂを点火許容位置からロック位置にスライド移動させると、操作ボタン１１の押下が制限され、点火操作が不能になる。ロック操作部１２Ｂを点火許容位置からロック位置にスライド移動させると、操作ボタン１２の押下が制限され、点火操作が不能になる。
【００２５】
図８を参照し、筐体２の内部構造を説明する。筐体２の内部右側には、右コンロ４が支持され、上面左側には、左コンロ５が支持される。底板部２４の上面右側には、点滅装置１８が螺子止め固定され、上面左側には、点滅装置１９が螺子止め固定される。点滅装置１８は、操作ボタン１１の後方、且つ右コンロ４の前方に位置する。点滅装置１９は、操作ボタン１２の後方、且つ左コンロ５の前方に位置する。
【００２６】
点滅装置１８は、図示しないガス流路、電磁弁、ニードル弁、火力調節レバー１１Ａ等を備える。点滅装置１８は、操作ボタン１１の押し込み操作により、ガス流路に設けられた電磁弁を開閉する。点滅装置１８は、火力調節レバー１１Ａをブラケット（図示略）で左右方向に回動可能に軸支する。点滅装置１８は、火力調節レバー１１Ａの左右方向の回動操作により、ニードル弁の開度を調節し、右コンロ４へのガス供給量を調節する。点滅装置１９も、点滅装置１８と同様に、図示しないガス流路、電磁弁、ニードル弁、火力調節レバー１２Ａ等を備える。点滅装置１９は、操作ボタン１２の押し込み操作により、ガス流路に設けられた電磁弁を開閉する。点滅装置１９は、火力調節レバー１２Ａをブラケット（図示略）で左右方向に回動可能に軸支する。点滅装置１９は、火力調節レバー１２Ａの左右方向の回動操作により、ニードル弁の開度を調節し、左コンロ５へのガス供給量を調節する。
【００２７】
図８を参照し、上板部２５及び底板部２４の形状を具体的に説明する。上板部２５は、後方に向けて開口する側面視略コの字型に形成され（図５，図８参照）、上面部２５１、前面部２５２、下面部２５３を備える。上板部２５を前方から見た場合に、前面部２５２の右側であって、点滅装置１８の前方の位置には、開口部２５４が設けられる。前面部２５２の左側であって、点滅装置１９の前方の位置には、開口部２５５が設けられる。開口部２５４，２５５は、左右方向に長い矩形状に形成される。開口部２５４に対して、点滅装置１８の火力調節レバー１１Ａが挿通し、前方に突出する。開口部２５５に対して、点滅装置１９の火力調節レバー１２Ａが挿通し、前方に突出する。上面部２５１の左右方向略中央部には、固定孔２５６が設けられる。上面部２５１の右側であって開口部２５４の近傍には、一対の固定孔２５７が設けられる。上面部２５１の左側であって、開口部２５５の近傍には、一対の固定孔２５８が設けられる。上面部２５１の後端部には、後方に対して斜め上方に突出する突出片２５９が設けられる。
【００２８】
底板部２４は、平面視左右方向に長い略矩形状に形成される。底板部２４の前端部であって、縦梁部２７よりも右側の部位には、２つの突出片２９（図５，図８参照）が互いに離間して設けられ、縦梁部２８よりも左側の部位にも、２つの突出片２９（図８参照）が互いに離間して設けられる。これら４つの突出片２９は、正面視横長の略矩形状に形成され、前方に対して斜め上方に傾斜して突出する。これら４つの突出片２９に対して、パネル本体部６１の下端部に設けられた後述する４つの差込孔６６１が引っ掛けられる（図５，図１４参照）。
【００２９】
図５、図７、図８を参照し、右板部２１及び左板部２２の前端部の構造を説明する。右板部２１の前端部には、固定片２１１が設けられる。固定片２１１は、右板部２１の前端部から左側方に突出する。固定片２１１は、被係合孔２１５，２１６を備える。被係合孔２１５は、固定片２１１の上下方向略中央部分に設けられる。被係合孔２１６は、固定片２１１の下側部分に設けられる。被係合孔２１５，２１６は、固定片２１１を前後方向に貫通し、且つ上下方向に延びるスリット状に形成される。被係合孔２１５の上半分のスリット幅は細く、下半分のスリット幅は上半分のスリット幅よりも太い。その逆に、被係合孔２１６の下半分のスリット幅は細く、上半分のスリット幅は下半分のスリット幅よりも太い。これら被係合孔２１５，２１６には、右エンドピース７１に設けられた後述する二つの係合片７７Ａ，７７Ｂが差し込まれて係合する（図５参照）。
【００３０】
一方、左板部２２の前端部には、固定片２２１が設けられる。固定片２２１は、左板部２２の前端部から右側方に突出する。固定片２２１は、被係合孔２２５，２２６を備える。被係合孔２２５，２２６の位置、形状は、固定片２１１に設けられた被係合孔２１５，２１６と同様である。これら被係合孔２２５，２２６には、左エンドピース８１に設けられた後述する二つの係合片が差し込まれて係合する。
【００３１】
図９〜図１４を参照し、パネル本体部６１の構造を説明する。パネル本体部６１は、正面視横長の略長方形状に形成され、例えば、板金部材を屈曲して形成される。パネル本体部６１は、前面部６２、上側部６３、上側固定部６４、下側部６５、下側引掛部６６、右側部６７、左側部（図示略）等を備える。
【００３２】
前面部６２は、正面視横長の略矩形状に形成され、上側から下側にかけて、前方に対して斜め下方に傾斜する（図１３参照）。前面部６２は、ボタン用開口部６１１，６１２、ボックス用開口部６１３、ＬＥＤ用小孔６１７、スイッチ用開口部６１８等を備える。
【００３３】
ボタン用開口部６１１は、前面部６２の右側下部で、且つ後述する下側部６５の上端部を跨ぐようにして設けられる。ボタン用開口部６１１は、点滅装置１８（図８参照）の前方に位置する。ボタン用開口部６１２は、前面部６２の左側下部で、且つボタン用開口部６１１と同一高さ位置に設けられる。ボタン用開口部６１２は、点滅装置１９（図８参照）の前方に位置する。ボタン用開口部６１１，６１２は、正面視略矩形状に形成される。ボタン用開口部６１１の内側には、操作ボタン１１が取り付けられ、後方に押し込み可能に軸支される。ボタン用開口部６１２の内側には、操作ボタン１２が取り付けられ、後方に押し込み可能に軸支される。ボックス用開口部６１３は、ボタン用開口部６１２の左側で、且つボタン用開口部６１１，６１２と同一高さ位置に設けられる。ボックス用開口部６１３は正面視略矩形状に形成される。ボックス用開口部６１３の内側には、電池ボックス１５（図１参照）が手前方向に引き出し可能に収納される。ＬＥＤ用小孔６１７は、ボタン用開口部６１２の左角部の上方に設けられる。ＬＥＤ用小孔６１７は、正面視円形状の小孔である。ＬＥＤ用小孔６１７の内側には、ＬＥＤ１７（図１参照）が後方から挿入される。
【００３４】
上側部６３は、前面部６２の上端部から垂直上方に突出し、正面視左右方向に長い細幅の略矩形状に形成される。上側部６３は、右側開口部６３１と左側開口部６３２を備える。右側開口部６３１は、上側部６３の右側で、且つボタン用開口部６１１の上方に設けられる。左側開口部６３２は、上側部６３の左側で、且つボタン用開口部６１２の上方に設けられる。右側開口部６３１及び左側開口部６３２は、左右方向に長い矩形状に形成され、筐体２の上板部２５に設けられた開口部２５４，２５５（図８参照）の夫々の位置に対応する。火力調節レバー１１Ａは、開口部２５４及び右側開口部６３１を介して前方に突出する。火力調節レバー１２Ａは、開口部２５５及び左側開口部６３２を介して前方に突出する。それ故、使用者は、フロントパネル６０の前面側において、火力調節レバー１１Ａ，１２Ａを水平方向に回動操作できる。
【００３５】
上側固定部６４は、上側部６３の上端部から後方に突出する。図１１に示すように、上側固定部６４の左右方向中央部の後方への突出長は、左右両側部の後方への突出長よりも短い。左右両側部の後方への各突出長は互いに同一である。上側固定部６４の中央部には、後方に突出する突出部６４１が設けられる。突出部６４１の中央には、固定孔６４２が設けられる。上側固定部６４の右側部には、二つの固定孔６４３が左右方向に間隔を空けて設けられる。上側固定部６４の左側部分にも、二つの固定孔６４４が左右方向に間隔を空けて設けられる。上側固定部６４は、筐体２の上板部２５の上面部２５１の上面に配置され、螺子止め固定される。
【００３６】
下側部６５は、前面部６２の下端部から前方が凸となるように円弧状に湾曲し、後方に対して斜め下方に傾斜する（図１３参照）。下側部６５は、正面視横長の略矩形状に形成され、パネル本体部６１の正面の下側部分を形成する。下側部６５は、ロック用開口部６５１，６５２を備える。ロック用開口部６５１は、ボタン用開口部６１１の下方に設けられる。ロック用開口部６５１には、ロック操作部１１Ｂ（図１参照）が後方から挿入される。ロック用開口部６５２は、ボタン用開口部６１２の下方に設けられる。ロック用開口部６５２には、ロック操作部１２Ｂ（図１参照）が後方から挿入される。
【００３７】
下側引掛部６６は、下側部６５の下端部から後方に突出する。下側引掛部６６の左右方向中央部分の後方への突出長は、左右両側部分の後方への突出長よりも長い。左右両側部分の後方への各突出長は同一である。下側引掛部６６の右側部分には、二つの差込孔６６１が設けられる（図１４参照）。下側引掛部６６の左側部分にも、二つの差込孔６６１が設けられる。これら４つの差込孔６６１は、左右方向に長いスリット状に形成される。
【００３８】
図９，図１３に示すように、右側部６７は、前面部６２の右端部から後方に突出して設けられる。右側部６７は、右側面視略台形状に形成される。右側部６７は、固定孔６７１，６７２を備える。固定孔６７１は、右側部６７の上部に設けられ、左右方向に貫通する。固定孔６７１は縦長の略矩形状に形成される。固定孔６７２は、固定孔６７１の下方に設けられ、左右方向に貫通する。固定孔６７２は、略矩形状に形成される。右側部６７は、上側リブ６７５と下側リブ６７６をさらに備える。上側リブ６７５は、右側部６７の上部に接続する。上側リブ６７５は、前面部６２の右端部と上側部６３の右端部との接続部分に沿って設けられる。上側リブ６７５は、後方に突出し、右側面視略帯状に形成される。下側リブ６７６は、右側部６７の下部に接続する。下側リブ６７６は、下側部６５の右端部に沿って設けられる。下側リブ６７６は、後方に突出し、右側面視略帯状に形成される。
【００３９】
下側リブ６７６の上部と、右側部６７の下部との接続部分には、略円弧状の切り込み部６７７が設けられる。これにより、右側部６７と前面部６２の右端部との接続部分が短くなるので、右側部６７に対して外部から応力が掛けられたとき、前面部６２に対して右側部６７を適宜撓ませることができる。なお、左側部（図示略）は、前面部６２の左端部から後方に突出して設けられる。左側部は、右側部６７と左右対称形状を備えるので、説明を省略する。
【００４０】
図１５〜図２１を参照し、右エンドピース７１の構造を説明する。なお、左エンドピース８１は、右エンドピース７１と左右対称構造であるので、説明を省略する。右エンドピース７１は樹脂製であり、正面視上下方向に長い棒状に形成される（図１６参照）。右エンドピース７１の内側は空洞になっており、左側方及び後方に向けて開口する（図１９〜図２１参照）。右エンドピース７１は、前面部７２、上側部７３、下面部７４、右側面部７５、上面部７６等を備える。
【００４１】
前面部７２は、正面視上下方向に延びる細長の略矩形状に形成され、上側から下側にかけて、前方に対して斜め下方に傾斜する（図１８，図１９参照）。前面部７２の傾斜角度は、パネル本体部６１の前面部６２の傾斜角度（図１３参照）と同一に揃えるとよい。上側部７３は、前面部７２の上端部から垂直上方に突出する。上側部７３の上下方向の長さは、パネル本体部６１の上側部６３の上下方向の長さ（図１３参照）と揃えるとよい。下面部７４は、前面部７２の下端部から前方が凸となるように円弧状に湾曲し、後方に対して斜め下方に傾斜する。下面部７４の傾斜角度は、パネル本体部６１の下側部６５の傾斜角度（図１３参照）と同一に揃えるとよい。下面部７４の下端部には、後方に突出する突起部８０（図１８〜図２０参照）が設けられる。
【００４２】
図１７〜図１９，図２１に示すように、右側面部７５は、右側面視上下方向に長い略矩形状に形成され、前面部７２の右端部と、上側部７３の右端部と、下面部７４の右端部とに対して円弧状に滑らかに接続し、且つ後方に突出する。右側面部７５の前端部は、前方に対して凸となる右側面視略Ｌ字状に形成され、後端部は、上側から下側にかけて、前方に対して斜め下方に傾斜する。上面部７６は、上側部７３の上端部と、右側面部７５の上端部とに接続し、平面視略矩形状に形成される。上面部７６の前側部分には、上方に突出する突出部７６Ａが設けられる。
【００４３】
図１９，図２０に示すように、右エンドピース７１はさらに、二つの係合片７７Ａ，７７Ｂ、三つの固定片７８Ａ，７８Ｂ，７８Ｃ、突出片７９を備える。係合片７７Ａ，７７Ｂは、右側面部７５の後端部に設けられ、後方に突出する。係合片７７Ａは、右側面部７５の後端部の長手方向略中央部に設けられる。係合片７７Ｂは、係合片７７Ａの下方に設けられる。固定片７８Ａ，７８Ｂは、前面部７２の左端部に設けられる。固定片７８Ａは、上側部７３の左端部の上部に設けられる。固定片７８Ｂは、固定片７８Ａの下方で、且つ前面部７２の左端部の上部に設けられる。固定片７８Ｃは、下面部７４の左端部に設けられる。
【００４４】
これら固定片７８Ａ，７８Ｂ，７８Ｃは、左方に突出し、且つ先端部が前方に屈曲する平面視略Ｌ字状に形成される。例えば、図５，図２１に示すように、固定片７８Ｂは、延設部７８１と抜け止め部７８２を備える。延設部７８１は、前面部７２の左端部から左方に向けて延びる部分である。抜け止め部７８２は、延設部７８１の先端部から前側に延びる部分である。延設部７８１は、パネル本体部６１の右側部６７の板厚よりもやや長い。延設部７８１の長さと、右側部６７の板厚との差分は、固定孔６７２と固定片７８Ｂとの間に遊びを生じさせる。なお、固定片７８Ａ，７８Ｃも、固定片７８Ｂと同様の形状を備える。突出片７９は、前面部７２の左端部において、固定片７８Ａと７８Ｂの間に設けられる。突出片７９は、前面部７２の左端部から後方に突出し、該突出する後端部には、屈曲部７９Ａが設けられる。屈曲部７９Ａは、左側が凸となるように略Ｌ字状に屈曲する。
【００４５】
図２２，図２３を参照し、パネル本体部６１を筐体２の前面部に装着する工程を説明する。作業者は、図８の状態の筐体２を作業台上に載置する。図２２に示すように、作業者は、パネル本体部６１の下端部に設けられた４つの差込孔６６１（図１４参照）に、筐体２の底板部２４の前端部に設けられた４つの突出片２９（図８，図２２，図２３参照）を挿入して引っ掛け、パネル本体部６１の下端部と底板部２４を連結させる。このとき、パネル本体部６１は、上側が前方に傾いた状態となる。次いで、パネル本体部６１を、差込孔６６１及び突出片２９を中心として、筐体２の開口する前面部を閉じるように回転させる。
【００４６】
そして、図２３に示すように、パネル本体部６１の上側固定部６４を、筐体２の上板部２５の上面部２５１の上面に重ねる。このとき、上側固定部６４の中央の固定孔６４２（図１１参照）は、上面部２５１の中央の固定孔２５６（図８参照）上に配置される。上側固定部６４の右側の二つの固定孔６４３（図１１参照）は、上面部２５１の右側の二つの固定孔２５７（図８参照）上に配置される。上側固定部６４の左側の二つの固定孔６４４（図１１参照）は、上面部２５１の左側の二つの固定孔２５８（図８参照）上に配置される。作業者は、固定孔６４２と固定孔２５６に螺子９０を挿入して締結し、固定孔６４３と固定孔２５７に螺子９０を挿入して締結し、固定孔６４４と固定孔２５８に螺子９０を挿入して締結する。このようにして、作業者は、パネル本体部６１を、筐体２の前面部に対して容易に固定できる（図６参照）。
【００４７】
次に、右エンドピース７１を筐体２の右前角部に装着する工程を説明する。図７に示すように、筐体２の前面部にパネル本体部６１が装着された状態では、パネル本体部６１の右側において、筐体２の右板部２１の固定片２１１が前方に向けて配置される。パネル本体部６１の右側部６７は、固定片２１１の左端部の位置で、右方に向けて配置される。それ故、筐体２の右前角部は、固定片２１１及び右側部６７により、平面視略Ｌ字の切欠き状に形成される。作業者は、右エンドピース７１を上下方向に立て、右エンドピース７１の上面部７６に設けられた突出部７６Ａを、筐体２の上板部２５における下面部２５３の後方側の空間に下方から差し込み、筐体２の右前角部に位置決めする。このとき、右板部２１の固定片２１１に対し、右エンドピース７１の右側面部７５の後端部が対向する。パネル本体部６１の右側部６７に対し、右エンドピース７１の前面部７２の左端部が対向する。下面部７４に設けられた突起部８０は、筐体２の底板部２４の上面に配置する（図５参照）。
【００４８】
次いで、作業者は、図５に示すように、右板部２１の固定片２１１に設けられた被係合孔２１５，２１６に対し、右エンドピース７１の右側面部７５の後端部に設けられた係合片７７Ａ，７７Ｂを前方から差し込んで係合させる。これにより、右エンドピース７１の前後方向における位置決めがなされる。そして、図５に示すように、パネル本体部６１の右側部６７に設けられた固定孔６７１に対し、右エンドピース７１の前面部７２の左端部に設けられた突出片７９の屈曲部７９Ａを右方から落着させる。
【００４９】
さらに、パネル本体部６１の右側部６７に設けられた固定孔６７２に対し、右エンドピース７１の前面部７２の左端部に設けられた固定片７８Ｂを、遊びを有する状態で右方から係合させる。このとき、固定片７８Ｂの延設部７８１は、固定孔６７２に挿入される。抜け止め部７８２は、右側部６７の内側で、固定孔６７２の縁部に左方から当接して抜け止めされる。上記したように、延設部７８１の長さは、右側部６７の板厚よりも長い。これにより、固定片７８Ｂは、固定孔６７２の縁部に対して遊びを設けた状態で係合できる。
【００５０】
さらに、パネル本体部６１の右側部６７の上方に設けられた上側リブ６７５に対し、右エンドピース７１の前面部７２の左端部に設けられた固定片７８Ａを、遊びを有する状態で右方から係合させる。パネル本体部６１の右側部６７の下方に設けられた下側リブ６７６に対し、右エンドピース７１の前面部７２の左端部に設けられた固定片７８Ｃを、遊びを有する状態で右方から係合させる。これにより、パネル本体部６１に対して、右エンドピース７１が遊びを有する状態で接続される。
【００５１】
ここで、右エンドピース７１の左端部に設けられた突出片７９の屈曲部７９Ａは、パネル本体部６１の右側部６７に設けられた固定孔６７１に右方から落着する。右側部６７は、突出片７９の屈曲部７９Ａによって左方に付勢される。右側部６７は、適宜撓むことができる。これにより、右エンドピース７１は、パネル本体部６１に対してがたつくことなく、位置が固定される。このようにして、右エンドピース７１は、筐体２の右前角部に装着される（図１〜図３，図５参照）。
【００５２】
このようにして、本実施形態においては、右エンドピース７１の固定片７８Ａ〜７８Ｃを、パネル本体部６１の固定孔６７１、上側リブ６７５、下側リブ６７６に対して遊びを設けた状態で固定できる。これにより、コンロ１は、パネル本体部６１と右エンドピース７１との間に多少の寸法誤差、組み付け誤差が生じたとしても、右エンドピース７１の遊びでそれを吸収できるので、フロントパネル６０を容易に組み付けることができる。また、一枚で構成された従来のフロントパネルと比較して、パネル本体部６１、右エンドピース７１、左エンドピース８１に高い精度が要求されないので、フロントパネル６０の製造上における歩留まりを向上できる。
【００５３】
また、右エンドピース７１の固定片７８Ａ〜７８Ｃは、右エンドピース７１の左端部の上下方向中央部よりも上部又は下部に寄った位置に夫々設けられる。これにより、上下方向中央部に設けた場合に比べ、パネル本体部６１に対して、右エンドピース７１の位置に遊びを形成し易い。これにより、コンロ１は、パネル本体部６１と右エンドピース７１との間に生じた組み付け誤差を、右エンドピース７１の遊びで十分に吸収できる。
【００５４】
そして、図３に示すように、左エンドピース８１も、右エンドピース７１と同様の方法に、筐体２の左前角部に装着する。このようにして、筐体２の前面部に、フロントパネル６０が装着される。次いで、作業者は、天板３を、筐体２の開口する上部を覆うように、螺子止め固定する。この状態で、天板３の外周部においては、垂下部３１が、右エンドピース７１及び左エンドピース８１の夫々の上端部を覆うように配置される。これにより、右エンドピース７１及び左エンドピース８１の夫々の上端部は、天板３の垂下部３１により保持される。よって、コンロ１は、右エンドピース７１及び左エンドピース８１が筐体２から脱落するのを防止できる。
【００５５】
以上説明したように、本実施形態のコンロ１は、筐体２を備える。筐体２は、右板部２１、左板部２２、後板部２３、底板部２４、上板部２５を備える。筐体２の開口する前面部には、フロントパネル６０が装着される。右板部２１及び左板部２２の夫々の前端部には、固定片２１１が設けられ、該固定片２１１には、前後方向に開口する被係合孔２１５，２１６が設けられる。フロントパネル６０は、パネル本体部６１、右エンドピース７１、左エンドピース８１を備える。右エンドピース７１及び左エンドピース８１は、パネル本体部６１の右側部６７及び左側部と連結する。右エンドピース７１の左端部は、パネル本体部６１の右側部６７と対向する。右エンドピース７１の後端部は、右板部２１の前端部に設けられた固定片２１１と対向する。
【００５６】
右エンドピース７１の左端部には、三つの固定片７８Ａ〜７８Ｃが設けられる。固定片７８Ａ〜７８Ｃは、パネル本体部６１の右側部６７側である左方に突出し、右側部６７に設けられた固定孔６７２、上側リブ６７５、下側リブ６７６に遊びを有する状態で係合して固定される。右エンドピース７１の後端部には、二つの係合片７７Ａ，７７Ｂが設けられる。係合片７７Ａ，７７Ｂは、右板部２１の固定片２１１側に向けて突出し、固定片２１１に設けられた被係合孔２１５，２１６に差し込まれて係合される。これにより、パネル本体部６１と右エンドピース７１との間に多少の寸法誤差、組み付け誤差が生じたとしても、それを吸収できる。左エンドピース８１においても同様である。これにより、フロントパネル６０を筐体２に装着する際に、右エンドピース７１及び左エンドピース８１の自由度がある程度確保されるので、仮に寸法誤差が生じたとしても、右エンドピース７１及び左エンドピース８１を容易に筐体２側に固定できる。
【００５７】
上記説明において、右板部２１及び左板部２２は、本発明の「一対の側板部」の一例である。被係合孔２１５，２１６は、本発明の「被係合孔」の一例である。パネル本体部６１の右側部６７は、本発明の「外側部」の一例である。右側部６７の固定孔６７２は、本発明の「固定孔」の一例である。右エンドピース７１の前面部７２の左端部は、本発明の「第一対向部」の一例であり、右側面部７５の後端部は、本発明の「第二対向部」の一例である。右エンドピース７１の固定片７８Ｂは、本発明の「固定片」の一例である。固定片７８Ａ，７８Ｂ，７８Ｃは、本発明の「係合部」の一例である。
【００５８】
なお、本発明は上記実施形態に限定されるものではなく、種々の変更が可能である。上記実施形態のコンロ１はテーブルコンロであるが、ビルトインコンロであってもよい。コンロ１は、グリルの無いコンロであるが、グリルを備えていてもよい。コンロ１は、右コンロ４と左コンロ５を天板３上に備える二口のコンロであるが、天板３上に設けるコンロの数は、これに限定されない。
【００５９】
また、図２４に示すように、グリル付きのコンロ１００の場合、筐体２の内側中央部にはグリル庫が設置される。コンロ１００の天板３の上面奥側には、グリル排気口７が設けられる。筐体２の前面部には、フロントパネル６００が装着される。フロントパネル６００は、パネル本体部６１０、右エンドピース７１、左エンドピース８１を備える。右エンドピース７１及び左エンドピース８１は、上記実施形態と同一である。パネル本体部６１０は、上記実施形態の操作ボタン１１，１２、電池ボックス１５、切替スイッチ１６、ＬＥＤ１７等に加え、グリルバーナの点火及び消火用の操作ボタン１３を備える。さらに、パネル本体部６１０は、左右方向中央部に、グリル用の開口部６１５を備える。開口部６１５の内側には、グリル扉８が配置される。グリル扉８は、前後方向に移動可能に設けられ、グリル庫の前側に設けられたグリル開口を開閉する。このようなコンロ１００においても、上記実施形態と同様の効果を得ることができる。
【００６０】
上記実施形態のフロントパネル６０は、パネル本体部６１の左右両側に、右エンドピース７１及び左エンドピース８１を備えているが、例えば、パネル本体部６１の片側のみにエンドピースを備えていてもよい。
【００６１】
上記実施形態の右エンドピース７１は、三つの固定片７８Ａ，７８Ｂ，７８Ｃを備えているが、固定片の数はこれに限定されない。また、右エンドピース７１は、二つの係合片７７Ａ，７７Ｂを備えているが、係合片の数もこれに限定されない。
【符号の説明】
【００６２】
１      コンロ
２      筐体
３      天板
２０      筐体本体部
２１      右板部
２２      左板部
２３      後板部
２４      底板部
３１      垂下部
６０      フロントパネル
６１      パネル本体部
６７      右側部
７１      右エンドピース
７７Ａ，７７Ｂ      係合片
７８Ａ，７８Ｂ，７８Ｃ      固定片
８１      左エンドピース
２１１      固定片
２１５，２１６      被係合孔
６７１，６７２      固定孔
７８１      延設部
７８２      抜け止め部
【図１】
2019211187.tif 000003
【図２】
2019211187.tif 000004
【図３】
2019211187.tif 000005
【図４】
2019211187.tif 000006
【図５】
2019211187.tif 000007
【図６】
2019211187.tif 000008
【図７】
2019211187.tif 000009
【図８】
2019211187.tif 000010
【図９】
2019211187.tif 000011
【図１０】
2019211187.tif 000012
【図１１】
2019211187.tif 000013
【図１２】
2019211187.tif 000014
【図１３】
2019211187.tif 000015
【図１４】
2019211187.tif 000016
【図１５】
2019211187.tif 000017
【図１６】
2019211187.tif 000018
【図１７】
2019211187.tif 000019
【図１８】
2019211187.tif 000020
【図１９】
2019211187.tif 000021
【図２０】
2019211187.tif 000022
【図２１】
2019211187.tif 000023
【図２２】
2019211187.tif 000024
【図２３】
2019211187.tif 000025
【図２４】
2019211187.tif 000026